(57)【特許請求の範囲】
【請求項１】
市販のコーナー材よりも短尺に形成した内装用短尺コーナー材を、小型の搬送用車両に横置き状態に積層して所定の作業場所まで搬送する第１工程と、所定の作業場所の床側の幅木と天井との間に、少なくとも２本の前記内装用短尺コーナー材を直線上にセットし、これらの内装用短尺コーナー材のオーバーラップ部分を切除する第２工程と、前記内装用短尺コーナー材の端部を突き合わせる際に、オーバーラップ部分を切除したカット面を対峙しないように反転させ、少なくとも前記内装用短尺コーナー材の端部のカット面を対峙させないように接合する第３工程と、前記内装用短尺コーナー材を接合した後に、内装用短尺コーナー材の表面に通常のパテ施工を含む内装仕上げを行う第４工程とを有することを特徴とする内装用短尺コーナー材による施工方法。
【請求項２】
前記内装用短尺コーナー材は、長さが１０００〜１８００ｍｍの範囲の寸法からなることを特徴とする請求項１に記載の内装用短尺コーナー材による施工方法。
【発明の詳細な説明】
【技術分野】
【０００１】
この発明は内装用短尺コーナー材による施工方法に係り、特に建物の隅部分に装着されて角部を平坦に先仕上げする際に使用されるコーナー材を内装用短尺コーナー材とし、搬送コストの低減及び搬送効率の向上、そして、施工の際の作業効率の向上などを図る内装用短尺コーナー材による施工方法に関するものである。
【背景技術】
【０００２】
建物においては、壁面を壁紙や布地等の壁装材を貼り付けて仕上げをする場合に、予め下地の壁面を平坦に先仕上げしておく必要がある。
２つの壁面が交差して角部を形成する出隅部分などは、先仕上げが困難なため、出隅部分の角部及びこの角部を挟んで両側にある２つの壁面に装着することにより、角部を平坦に先仕上げするコーナー材が提案されている。
【先行技術文献】
【特許文献】
【０００３】
【特許文献１】特開平８−３５３１１号公報
【発明の概要】
【発明が解決しようとする課題】
【０００４】
ところで、従来のコーナー材による施工方法においては、長さが２５００ｍｍのコーナー材を使用していた。
そして、搬送作業時には、長さ２５００ｍｍのコーナー材を横置き状態に収容可能な荷台スペースを有する１ボックスワゴンタイプの車両やバンタイプの車両を使用する必要があった。
この結果、長尺なコーナー材であるため搬送が困難となり、搬送効率が低いとともに、長尺なコーナー材を搬送するために、車両の準備費用や燃費などを含めた搬送コストが嵩み、経済的に不利であるという不都合がある。
【０００５】
また、所定の作業場所に長尺なコーナー材を搬送した後に施工を実施する際には、所定の作業場所の床側の幅木と天井との間に長尺なコーナー材を取り付ける。
このとき、所定の作業場所の床側の幅木と天井との間の距離が、一般的な日本家屋の場合、２０００〜２３００ｍｍ程度のなるため、長尺なコーナー材をそのまま取り付けることができず、メジャーによって所定の作業場所の床側の幅木と天井との間の距離を測定した後に、この測定した距離に合致するように長尺なコーナー材をカットする必要があった。
この結果、施工に際しては、測定用のメジャーを必ず使用する必要があり、測定作業という作業工程が増加しており、作業効率が悪いという不都合がある。
【０００６】
この発明は、内装用短尺コーナー材を使用することによって、搬送コストの低減及び搬送効率の向上、そして、施工の際の作業効率の向上などを実現することを目的とする。
【課題を解決するための手段】
【０００７】
そこで、この発明は、上述不都合を除去するために、市販のコーナー材よりも短尺に形成した内装用短尺コーナー材を、小型の搬送用車両に横置き状態に積層して所定の作業場所まで搬送する第１工程と、所定の作業場所の床側の幅木と天井との間に、少なくとも２本の前記内装用短尺コーナー材を直線上にセットし、これらの内装用短尺コーナー材のオーバーラップ部分を切除する第２工程と、前記内装用短尺コーナー材の端部を突き合わせる際に、オーバーラップ部分を切除したカット面を対峙しないように反転させ、少なくとも前記内装用短尺コーナー材の端部のカット面を対峙させないように接合する第３工程と、前記内装用短尺コーナー材を接合した後に、内装用短尺コーナー材の表面に通常のパテ施工を含む内装仕上げを行う第４工程とを有することを特徴とする。
【発明の効果】
【０００８】
この発明によれば、施工の際に、少なくとも２本の内装用短尺コーナー材を使用し、以下の効果を奏することができる。
（１）内装用短尺コーナー材を使用することによって、搬送を容易として、車両の準備費用や燃費などを含めた搬送コストを低減することができるとともに、搬送効率を向上させることができる。
（２）内装用短尺コーナー材を使用することによって、メジャーを使用しなくとも、容易に施工することができ、作業効率を向上させることができる。
（３）内装用短尺コーナー材の端部のカット面を対峙させないように接合することによって、十分な密着性を確保して隙間の発生を防止することができる。
（４）内装用短尺コーナー材を接合した後に、内装用短尺コーナー材の表面に通常のパテ施工を含む内装仕上げを行うため、従来の施工と何ら遜色なく完成させることができる。
【図面の簡単な説明】
【０００９】
【図１】図１は内装用短尺コーナー材の施工状態を示し、（ａ）は内装用短尺コーナー材のセット状態を示す概略図、（ｂ）は内装用短尺コーナー材を接合した後の状態を示す概略図である。（実施例）
【図２】図２は内装用短尺コーナー材の概略拡大斜視図である。（実施例）
【図３】図３は内装用短尺コーナー材の拡大断面図である。（実施例）
【図４】図４は内装用短尺コーナー材による施工方法の作業工程を示す図である。（実施例）
【図５】図５は内装用短尺コーナー材による施工前の所定の作業場所の概略説明図である。（実施例）
【図６】図６は３本の内装用短尺コーナー材による施工方法を示す説明図である。（実施例）
【発明を実施するための形態】
【００１０】
以下図面に基づいてこの発明の実施例を詳細に説明する。
【実施例】
【００１１】
図１〜図５はこの発明の実施例を示すものである。
図２において、１は内装用短尺コーナー材である。
この内装用短尺コーナー材１は、プラスチック製材料により形成する。
なお、より詳細に説明すると、内装用短尺コーナー材１をプラスチック製材料により形成する際には、例えば汎用ポリスチレン（「ＧＰＰＳ」）にゴムを加えて耐衝撃性を持たせた耐衝撃性ポリスチレン、つまり、ＨＩＰＳ樹脂製材料を使用する。
このとき、前記内装用短尺コーナー材１は、図２及び図３に示す如く、第１側面２と、この第１側面２に対して略直交する第２側面３とによって断面Ｌ字形状に形成する。
また、前記内装用短尺コーナー材１は、長さが１０００〜１８００ｍｍの範囲の寸法からなり、例えば長さを１３００ｍｍの寸法とする。
そして、前記内装用短尺コーナー材１は、前記第１側面２と前記第２側面３とに複数個の孔部４を規則正しく形成する。
なお、複数個の孔部４は、前記内装用短尺コーナー材１を２つの壁面が交差して角部を形成する後述する出隅部分１０に貼り付けた際に、内装用短尺コーナー材１の前記第１側面２及び前記第２側面３の内側内の空気を排出して密着性を向上させる機能がある一方、原材料の使用量の低減に寄与している。
更に、前記内装用短尺コーナー材１においては、前記第１側面２と前記第２側面３との夫々の開放側端部２ｘ、３ｘの内側に長手方向に沿って、例えば幅寸法が１０ｍｍの両面テープ５を夫々貼り付ける。
【００１２】
ここで、前記内装用短尺コーナー材１の断面Ｌ字形状について詳述する。
この内装用短尺コーナー材１は、図３に示す如く、幅寸法を例えば２７ｍｍとした第１側面２と、この第１側面２に対して略直交、かつ、同様の幅寸法を有する第２側面３とによって断面Ｌ字形状に形成されている。
そして、前記内装用短尺コーナー材１を形成する際に、前記第１側面２と前記第２側面３とが接続する夫々の基端側端部２ｙ、３ｙの厚みを、例えば０．７ｍｍとする。
また、前記第１側面２及び前記第２側面３の夫々の開放側端部２ｘ、３ｘの厚みは、前記基端側端部２ｙ、３ｙから開放側端部２ｘ、３ｘに向かって厚みが漸次減少するように、例えば０．５ｍｍとする。
更に、前記内装用短尺コーナー材１の断面Ｌ字形状の角度は、例えば８８〜８９度とする。
この内装用短尺コーナー材１の断面Ｌ字形状の角度の設定は、２つの壁面が交差して角部を形成する出隅部分に前記内装用短尺コーナー材１を前記両面テープ５にて貼り付けた際に、この両面テープ５の厚みを勘案するとともに、内装用短尺コーナー材１の前記第１側面２及び前記第２側面３によって、出隅部分の角部の両側にある２つの壁面への密着性を向上させている。
【００１３】
前記内装用短尺コーナー材１を使用する用施工方法においては、図４に示す如く、第１工程Ａ〜第４工程Ｄまでの４つの工程を備えている。
【００１４】
詳述すれば、前記第１工程Ａは、長さ２５００ｍｍの市販のコーナー材よりも短尺、例えば長さ１３００ｍｍに形成した前記内装用短尺コーナー材１を、小型の搬送用車両に横置き状態に積層し、この小型の搬送用車両によって所定の作業場所６（図５参照。）まで搬送する工程である。
つまり、長さ１３００ｍｍの前記内装用短尺コーナー材１としたことにより、小型の搬送用車両の荷台部分に横置き状態に積層可能とし、搬送を容易として、車両の準備費用や燃費などを含めた搬送コストを低減することができるとともに、搬送効率を向上させている。
しかも、小型の搬送用車両による搬送のみでなく、所定の作業場所６での前記内装用短尺コーナー材１の搬送も容易となり、作業効率の向上にも寄与している。
【００１５】
前記第２工程Ｂは、所定の作業場所６の床７側の幅木８と天井９との間において、２つの壁面が交差して角部を形成する出隅部分１０に少なくとも２本、例えばの実施例においては２本の前記第１、第２内装用短尺コーナー材１−１、１−２を直線上にセットし、これらの第１、第２内装用短尺コーナー材１−１、１−２のオーバーラップ部分Ｇを切除する工程である。
つまり、長さ１３００ｍｍの前記内装用短尺コーナー材１を使用することによって、所定の作業場所６の床７側の幅木８と天井９との間の距離が一般的な日本家屋の２０００〜２３００ｍｍ程度である場合に、メジャーを使用しなくとも、つまりスケールによって採寸を行うことなく、容易に施工することができ、作業効率を向上させている。
【００１６】
前記第３工程Ｃは、２本の前記第１、第２内装用短尺コーナー材１−１、１−２の長手方向側の端部１−１ａ、１−２ａ、１−１ｂ、１−２ｂを突き合わせる際に、図１（ａ）及び（ｂ）に示す如く、例えば上方の第２内装用短尺コーナー材１−２の下端部１−２ｂのオーバーラップ部分Ｇを切除して新たな端部１−２ｃに現出させたカット面１１が、下方の第１内装用短尺コーナー材１−１の長手方向側の端部１−１ａに対峙しないように反転させて接合する工程である。
つまり、上方の第２内装用短尺コーナー材１−２の下端部１−２ｂのオーバーラップ部分Ｇを切除して新たな端部１−２ｃに現出させたカット面１１が、下方の第１内装用短尺コーナー材１−１の長手方向側の上端部１−１ａに対峙しないように接合することによって、図１（ｂ）に示す如く、２本の前記第１、第２内装用短尺コーナー材１−１、１−２の長手方向側の端部１−１ａ、１−２ａを接合させ、この端部１−１ａ、１−２ａにおける十分な密着性を確保して隙間の発生を防止している。
【００１７】
前記第４工程Ｄは、前記第１、第２内装用短尺コーナー材１−１、１−２を接合した後に、第１、第２内装用短尺コーナー材１−１、１−２の表面に通常のパテ施工を含む内装仕上げを行う工程である。
つまり、図１（ｂ）に示す如く、前記第１、第２内装用短尺コーナー材１−１、１−２の長手方向側の端部１−１ａ、１−２ａを接合する。
そして、前記第１、第２内装用短尺コーナー材１−１、１−２の表面、つまり、前記第１側面２及び前記第２側面３の外側面に通常のパテ施工を含む内装仕上げを行う。
このとき、内装仕上げとしては、上述したパテ施工のみでなく、クロス張りなども含まれるため、「内装クロス仕上げ」と換言することもできる。
このため、前記第１、第２内装用短尺コーナー材１−１、１−２の端部１−１ａ、１−２ａを接合した後に、第１、第２内装用短尺コーナー材１−１、１−２の表面である前記第１側面２及び前記第２側面３の外側面に内装仕上げを行うため、従来の施工と何ら遜色なく完成させることができ、不具合が全くないものである。
【００１８】
これにより、前記内装用短尺コーナー材１を使用する用施工方法において、上述した第１工程Ａ〜第４工程Ｄまでの４つの工程を行うことによって、作業時間を短縮することができる。
【００１９】
次に、図４の前記内装用短尺コーナー材１、この実施例においては、前記第１、第２内装用短尺コーナー材１−１、１−２による施工方法の４つの第１工程Ａ〜第４工程Ｄまでの作業工程に沿って、作用を詳細に説明する。
【００２０】
先ず、前記第１工程Ａにおいては、図４に示す如く、長さ２５００ｍｍの市販のコーナー材よりも短尺、例えば長さ１３００ｍｍに形成した前記内装用短尺コーナー材１を、小型の搬送用車両に横置き状態に積層する。
そして、この小型の搬送用車両によって所定の作業場所６まで搬送する。
【００２１】
また、前記第２工程Ｂにおいては、所定の作業場所６の床７側の幅木８と天井９との間に、２つの壁面が交差して角部を形成する出隅部分１０に少なくとも２本、例えばの実施例においては２本の前記第１、第２内装用短尺コーナー材１−１、１−２を直線上にセットする。
このとき、図５に示す如く、上述した所定の作業場所６の床７と天井９との間の距離Ｌ１から、幅木８の高さ寸法Ｌ２を引いた床７側の幅木８と天井９との間の距離Ｌ３を対象とする。
この距離Ｌ３は、一般的な日本家屋の２０００〜２３００ｍｍ程度である。
そして、所定の作業場所６の床７側の幅木８と天井９との間の距離Ｌ３において、図１（ａ）に示す如く、長さ１３００ｍｍの２本の第１、第２内装用短尺コーナー材１−１、１−２を直線上にセットするものである。
また、セット後は、メジャーを使用することなく、前記第２内装用短尺コーナー材１−２の下端部１−２ｂのオーバーラップ部分Ｇを切除する。
【００２２】
更に、前記第３工程Ｃにおいては、２本の前記第１、第２内装用短尺コーナー材１−１、１−２の長手方向側の端部１−１ａ、１−２ａ、１−１ｂ、１−２ｂを突き合わせる際に、図１（ａ）及び（ｂ）に示す如く、例えば上方の第２内装用短尺コーナー材１−２の下端部１−２ｂのオーバーラップ部分Ｇを切除して新たな端部１−２ｃに現出させたカット面１１が、下方の第１内装用短尺コーナー材１−１の長手方向側の端部１−１ａに対峙しないように反転させて接合する。
このとき、上方の第２内装用短尺コーナー材１−２の下端部１−２ｂのオーバーラップ部分Ｇを切除して新たな端部１−２ｃに現出させたカット面１１が、下方の第１内装用短尺コーナー材１−１の長手方向側の上端部１−１ａに対峙しないように接合している。
【００２３】
更にまた、前記第４工程Ｄにおいては、図１（ｂ）に示す如く、前記第１、第２内装用短尺コーナー材１−１、１−２の長手方向側の端部１−１ａ、１−２ａを接合した後に、第１、第２内装用短尺コーナー材１−１、１−２の表面である前記第１側面２及び前記第２側面３の外側面に通常のパテ施工を含む内装仕上げを行う。
このとき、前記第１、第２内装用短尺コーナー材１−１、１−２に形成した複数個の前記孔部４内にパテが入り込むようにパテ施工を行い、その後にクロス張りも行って内装仕上げを行う。
【００２４】
なお、この発明は上述実施例に限定されるものではなく、種々の応用改変が可能である。
【００２５】
例えば、この発明の実施例においては、前記内装用短尺コーナー材の長さを１３００ｍｍの寸法として説明したが、長さを１０００〜１８００ｍｍの範囲の寸法とする特別構成とすることも可能である。
すなわち、所定の作業場所の床側の幅木と天井との間の距離が一般的な日本家屋の２０００〜２３００ｍｍ程度であるため、２本の第１、第２内装用短尺コーナー材のみでなく、図６に示す如く、３本の第１〜第３内装用短尺コーナー材２１−１、２１−２、２１−３を使用することが可能である。
このとき、第１、第２内装用短尺コーナー材２１−１、２１−２の端面を接続して切除は行わず、第２内装用短尺コーナー材２１−２に対して第３内装用短尺コーナー材２１−３のオーバーラップ部分Ｇを削除する。
さすれば、前記第２工程Ｂにおいて、メジャーを使用しなくとも、容易に施工することができ、作業効率を向上させることができる。
【００２６】
また、この発明の実施例においては、前記内装用短尺コーナー材を形成する際に、幅寸法を例えば２７ｍｍとした第１側面と、この第１側面に対して略直交、かつ、同様の幅寸法を有する第２側面とによって断面Ｌ字形状に形成する構成としたが、第１側面と第２側面との幅寸法を相違させる形状とすることが可能である。
さすれば、密着性を確保する必要がある側に幅寸法の大なる側面を位置させることによって、前記内装用短尺コーナー材を取り付けた際の十分な密着性を確保することができ、その後の通常のパテ施工を含む内装仕上げの作業を行う前記第４工程を円滑に行うことができる。
また、一方の側面の幅寸法を全て変更する構成のみでなく、中間部位などの少なくとも一部の幅寸法を変更することも可能である。
更に、前記内装用短尺コーナー材を取り付けた際の密着性を上昇させる際に、この内装用短尺コーナー材の断面Ｌ字形状の角度を、全て一律とせず、部分的に変更する構成とすることも可能である。
【符号の説明】
【００２７】
１  内装用短尺コーナー材
１−１  第１内装用短尺コーナー材
１−１ａ、１−１ｂ  長手方向側の端部
１−２  第２内装用短尺コーナー材
１−２ａ、１−２ｂ  長手方向側の端部
２  第１側面
２ｘ  開放側端部
２ｙ  基端側端部
３  第２側面
３ｘ  開放側端部
３ｙ  基端側端部
４  孔部
５  両面テープ
６  所定の作業場所
７  床
８  幅木
９  天井
Ｇ  オーバーラップ部分
１０  出隅部分
１１  カット面
【図１】
0006031065.tif 000002
【図２】
0006031065.tif 000003
【図３】
0006031065.tif 000004
【図４】
0006031065.tif 000005
【図５】
0006031065.tif 000006
【図６】
0006031065.tif 000007